【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
ＯＡ機器の各種機能を実現すべく操作を行うための操作手段と、
前記操作手段の設定情報を取り込む取り込み手段と、
前記取り込み手段で得た設定情報を基に前記操作手段の設定を行う設定手段とを備えたことを特徴とするＯＡ機器の操作装置。
【請求項２】
ＯＡ機器の操作を行うための操作手段の設定情報を取り込む取り込み処理と、
前記取り込み処理で得た設定情報を基に前記操作手段の設定を行う設定処理とを実行することを特徴とするＯＡ機器の操作設定方法。
【請求項３】
前記取り込み処理は、取り外し可能な記憶装置から前記設定情報を取り込むことを特徴とする請求項２記載のＯＡ機器の操作設定方法。
【請求項４】
前記取り外し可能な記憶装置は、カード型デバイスであることを特徴とする請求項３記載のＯＡ機器の操作設定方法。
【請求項５】
前記取り込み処理は、ネットワークで接続された外部装置から前記設定情報を取り込むことを特徴とする請求項２乃至４の何れかに記載のＯＡ機器の操作設定方法。
【請求項６】
前記設定情報の中に、ネットワークで接続された外部装置内に記録されているデータへのリンク情報が含まれていることを特徴とする請求項２乃至５の何れかに記載のＯＡ機器の操作設定方法。
【請求項７】
前記設定情報の中に、文字表現言語または動作言語が含まれていることを特徴とする請求項２乃至６の何れかに記載のＯＡ機器の操作設定方法。
【請求項８】
少なくともプリント機能を有するＯＡ機器の操作設定方法であって、
前記ＯＡ機器とは異なるＯＡ機器の操作パネルにおいても表示可能な操作画面の情報を、前記ＯＡ機器により外部から取得させる取得ステップと、
前記取得ステップで取得した操作画面の情報に基づいた操作画面を前記ＯＡ機器の操作パネルに表示させる表示ステップと、
前記表示ステップにて前記ＯＡ機器の操作パネル上に表示された前記操作画面を介して入力された指示に基づいた動作を前記ＯＡ機器に実行させる制御ステップと、
を有することを特徴とする操作設定方法。
【請求項９】
前記取得ステップは、脱着可能な記憶媒体の情報を読取可能な読取手段から、或いは、外部装置とデータ通信可能なデータ通信手段から、前記操作画面の情報を取得することを特徴とする請求項８記載の操作設定方法。
【請求項１０】
前記取得ステップが取得する前記操作画面の情報は、前記ＯＡ機器とは異なるコンピュータを介してカスタマイズされることを特徴とする請求項８又は９記載の操作設定方法。
【請求項１１】
前記表示ステップは、前記ＯＡ機器のスキャナで読み取った原稿画像データを前記ＯＡ機器から送信して他のＯＡ機器で印刷させる為の第１の操作ボタン、及び、前記ＯＡ機器のスキャナで読み取った原稿画像データを遠隔のコンピュータに送信して前記コンピュータの記憶装置に格納させる為の第２の操作ボタン、及び、ファクシミリ機能を実行させる為の第３の操作ボタン、を含む複数の操作ボタンの少なくとも何れかの操作ボタンを具備した操作画面を表示させ、
前記制御ステップは、前記表示ステップにおける前記操作画面を介して前記第１の操作ボタンが押下された場合、前記ＯＡ機器のスキャナで読み取った原稿画像データを前記ＯＡ機器から送信して他のＯＡ機器で印刷させるよう制御し、前記表示ステップにおける前記操作画面を介して前記第２の操作ボタンが押下された場合、前記ＯＡ機器のスキャナで読み取った原稿画像データを遠隔のコンピュータに送信して前記コンピュータの記憶装置に格納させることを特徴とする請求項８乃至１０の何れかに記載の操作設定方法。
【請求項１２】
前記他のＯＡ機器或いは前記遠隔のコンピュータに原稿画像データを送信する場合に、ネットワークを通じて送信させることを特徴とする請求項８乃至１１の何れかに記載の操作設定方法。
【手続補正２】
【補正対象書類名】明細書
【補正対象項目名】０００５
【補正方法】変更
【補正の内容】
【０００５】
【課題を解決するための手段】
上記目的を達成するために、本発明のＯＡ機器の操作装置は、ＯＡ機器の各種機能を実現すべく操作を行うための操作手段と、前記操作手段の設定情報を取り込む取り込み手段と、前記取り込み手段で得た設定情報を基に前記操作手段の設定を行う設定手段とを備えたことを特徴とする。


【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明のＯＡ機器の操作設定方法は、ＯＡ機器の操作を行うための操作手段の設定情報を取り込む取り込み処理と、前記取り込み処理で得た設定情報を基に前記操作手段の設定を行う設定処理とを実行することを特徴とする。


【手続補正９】
【補正対象書類名】明細書
【補正対象項目名】００１２
【補正方法】変更
【補正の内容】
【００１２】
本発明の操作設定方法は、少なくともプリント機能を有するＯＡ機器の操作設定方法であって、前記ＯＡ機器とは異なるＯＡ機器の操作パネルにおいても表示可能な操作画面の情報を、前記ＯＡ機器により外部から取得させる取得ステップと、前記取得ステップで取得した操作画面の情報に基づいた操作画面を前記ＯＡ機器の操作パネルに表示させる表示ステップと、前記表示ステップにて前記ＯＡ機器の操作パネル上に表示された前記操作画面を介して入力された指示に基づいた動作を前記ＯＡ機器に実行させる制御ステップと、を有することを特徴とする。


【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００４０
【補正方法】変更
【補正の内容】
【００４０】
【発明の効果】
以上詳述したように、請求項１，２，８，９，１０，１１，１２の発明によれば、異なる機種でも普段使い慣れた操作メニュー画面が設定され、戸惑うことなく操作を行うことが可能になる。


【手続補正１５】
【補正対象書類名】明細書
【補正対象項目名】００４１
【補正方法】変更
【補正の内容】
【００４１】
請求項３，４の発明によれば、取り外し可能な記憶装置（例えばカード型デバイス）から設定情報を取り込むようにしたので、例えばＩＣカード等に自分専用の操作画面設定情報を記録しておき、ＯＡ機器を操作する際、このＩＣカードを差し込めば、たとえＯＡ機器が普段利用しているものは別機種であっても、普段使い慣れた操作メニュー画面が設定され、戸惑うことなく操作を行うことが可能になる。


【手続補正１６】
【補正対象書類名】明細書
【補正対象項目名】００４２
【補正方法】変更
【補正の内容】
【００４２】
請求項５の発明によれば、ネットワークで接続された外部装置から設定情報を取り込むようにしたので、操作メニュー画面に設定する設定情報を、ネットワークで接続された外部装置から読み出して設定することができ、たとえＯＡ機器が普段利用しているものは別機種であっても、普段使い慣れた操作メニュー画面が設定され、戸惑うことなく操作を行うことが可能になる。


【手続補正１７】
【補正対象書類名】明細書
【補正対象項目名】００４３
【補正方法】変更
【補正の内容】
【００４３】
請求項６の発明によれば、設定情報は、ネットワークで接続された外部装置内に記録されているデータへのリンク情報を含むようにしたので、その都度、リンク先アドレス等のリンク情報を入力する手間が不要となり、簡単な操作で外部装置とのデータのやりとりが可能となる。


【手続補正１８】
【補正対象書類名】明細書
【補正対象項目名】００４４
【補正方法】変更
【補正の内容】
【００４４】
請求項７の発明によれば、設定情報は、文字表現言語または動作言語を含むようにしたので、操作メニュー画面には、動作言語の記述に従ったアニメーンョンや操作メニューなどを表示／実行することが可能になる。


【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】削除
【補正の内容】
【手続補正２３】
【補正対象書類名】明細書
【補正対象項目名】００４９
【補正方法】削除
【補正の内容】
【手続補正２４】
【補正対象書類名】明細書
【補正対象項目名】００５０
【補正方法】削除
【補正の内容】